(57)【要約】【課題】構造が簡単で設置時や撤去時等における取扱い性にも優れていて、保護領域内で成育する海底生物を、該海底生物を捕食する海底棲息動物から、低コストにてより効果的に防護することが可能な防護フェンス、および、その防護フェンスを用いた海底生物の防護方法を提供する。【解決手段】防護フェンス１は、海藻Ｓの保護領域Ｇの周囲を包囲して立設されるフェンス本体２と、該フェンス本体２の上部に設けられた乗越え防止体３とを有し、該乗越え防止体３が、フェンス本体２から傾斜して外方に向って伸びる庇状をなしている。そして、上記領域Ｇの周囲を該海藻防護フェンス１で包囲することにより、海底を移動して海藻Ｓを捕食するウニＵが保護領域Ｇ内に侵入するのを防止して、該領域Ｇ内の海藻Ｓを防護する。【選択図】        図１
2007014305.tif 000002
【特許請求の範囲】
【請求項１】
海底において成育する海底生物を保護するための保護領域内に、海底を移動して該海底生物を捕食する海底棲息動物が侵入するのを阻止するための防護フェンスであって、
上記保護領域の周囲全体を包囲して立設されるフェンス本体と、該フェンス本体の上部に沿って設けられ、上記海底棲息動物が該防護フェンスを乗り越えるのを防止するための乗越え防止体とを有し、
該乗越え防止体が、フェンス本体と所定の角度をなして上記保護領域の外方に向って延びる庇状に形成されている、
ことを特徴とする防護フェンス。  
【請求項２】
上記所定の角度が鋭角である、
ことを特徴とする請求項１に記載の防護フェンス。
【請求項３】
上記所定の角度が約３０°である、
ことを特徴とする請求項２に記載の防護フェンス。
【請求項４】
上記乗越え防止体が、その先端に、上記保護領域の外方に向けて突出する複数の突出部を備えている、
ことを特徴とする請求項１〜３のいずれかに記載の防護フェンス。
【請求項５】
上記乗越え防止体が、金網、金属製の多孔板、金属製の平板の何れかにより形成されている、
ことを特徴とする請求項１〜４のいずれかに記載の防護フェンス。
【請求項６】
海底に設置される複数の土台と、これら土台上にそれぞれ固定される支持体と、これら支持体上に設けられる床部とで構成された海底設置体を備え、
上記床部上に、上記保護領域が形成されると共に上記フェンス本体が立設されている、
ことを特徴とする請求項１〜５のいずれかに記載の防護フェンス。
【請求項７】
海底において成育する海底生物を保護するための保護領域の周囲全体を、上記請求項１〜６の何れかに記載の防護フェンスで包囲することにより、海底を移動して上記海底生物を捕食する海底棲息動物が該保護領域内に侵入するのを阻止して、該保護領域内の海底生物を上記海底棲息動物から防護する、
ことを特徴とする海底生物の防護方法。
【発明の詳細な説明】
【技術分野】
【０００１】
本発明は、海底において成育する海底生物を保護するための保護領域内に、海底を移動して該海底生物を捕食する海底棲息動物が侵入するのを阻止することにより、海底生物を海底棲息動物による食害から守るための防護フェンス、及び、それを用いた海底生物の防護方法に関するものである。
【背景技術】
【０００２】
従来から、海藻や貝類などの海底において成育する海底生物を食害から守るための漁業用の防護フェンスとしては、種々のものが提案されている。  
例えば、海藻を海底棲息動物であるウニ等による食害から守るために、捲回して棒状にした柔軟性の網を、重量のある鎖に結びつけて海底に設置したものや（特許文献１）、短冊状の発泡体を撚り糸間に挟み込んでモール状体を形成し、これを人工藻礁の周囲に取り付けたもの（特許文献２）がある。
しかしながら、構造が簡単で設置時や撤去時等における取扱い性にも優れ、低コストにて充分な効果を得られるものは未だ存在しない。
【０００３】
【特許文献１】特開平１０−４８０８号公報
【特許文献２】特開２００３−２５０３６８号公報
【発明の開示】
【発明が解決しようとする課題】
【０００４】
本発明の技術的課題は、構造が簡単で設置時や撤去時等における取扱い性にも優れていて、保護領域内で成育する海底生物を、該海底生物を捕食する海底棲息動物から、低コストにてより効果的に防護することが可能な防護フェンス、および、その防護フェンスを用いた海底生物の防護方法を提供することにある。
【課題を解決するための手段】
【０００５】
このような技術的課題を解決するため、本発明に係る防護フェンスは、海底において成育する海底生物を保護するための保護領域内に、海底を移動して該海底生物を捕食する海底棲息動物が侵入するのを阻止するための防護フェンスであって、上記保護領域の周囲全体を包囲して立設されるフェンス本体と、該フェンス本体の上部に沿って設けられ、上記海底棲息動物が該防護フェンスを乗り越えるのを防止するための乗越え防止体とを有し、該乗越え防止体が、フェンス本体と所定の角度をなして上記保護領域の外方に向って延びる庇状に形成されていることを特徴としている。
【０００６】
このように本発明に係る防護フェンスは、保護領域の周囲全体を包囲して立設されるフェンス本体と、該フェンス本体の上部に沿って設けられた庇状の乗越え防止体とから構成されていて、比較的簡単な構造を有しているため、低コストにて設置することが可能であり、しかも、設置時や撤去時等における取り扱いも容易である。また、上記乗越え防止体が、上記フェンス本体と所定の角度をなして外方に向って延びる庇状に形成されていて、該フェンス本体によじ登った上記海底棲息動物の進路を阻むため、該海底棲息動物が防護フェンスを乗り越えて上記保護領域内に侵入し保護対象としての海底生物を捕食するのを効果的に阻止することが可能である。
【０００７】
ここで、本発明に係る防護フェンスにおいては、上記所定の角度が鋭角であることが望ましく、特に約３０度であると、最も効率良く海底棲息動物が保護領域内に侵入するのを阻止することができる。
【０００８】
また、本発明に係る防護フェンスにおいては、上記乗越え防止体が、その先端に、上記保護領域の外方に向けて突出する複数の突出部を備えていると、上記海底棲息動物が保護領域内に侵入するのをより効果的に阻止することができて好ましい。
なお、上記乗越え防止体は、金網、金属製の多孔板、金属製の平板の何れかにより形成されていると、たとえ将来的に防護フェンスが破損したとしても、浮遊物が発生して船舶の通行の妨げとなったり海を汚染したりする虞が無い。
【０００９】
さらに、本発明に係る防護フェンスの他の好ましい実施の形態においては、海底に設置される複数の土台と、これら土台上にそれぞれ固定される支持体と、これら支持体上に設けられる床部とで構成された海底設置体を備え、上記床部上に、上記保護領域が形成されると共に上記フェンス本体が立設されている。
【００１０】
上記技術的課題を解決するため本発明に係る海底生物の防護方法は、海底において成育する海底生物を保護するための保護領域の周囲全体を、上記請求項１〜６の何れかに記載の防護フェンスで包囲することにより、海底を移動して上記海底生物を捕食する海底棲息動物が該保護領域内に侵入するのを阻止して、該保護領域内の海底生物を上記海底棲息動物から防護することを特徴としている。
【発明の効果】
【００１１】
このように本発明によれば、構造が簡単で設置時や撤去時等における取扱い性にも優れていて、海底において成育する海底生物を保護するための保護領域内に、海底を移動して該海底生物を捕食する海底棲息動物が侵入するのを、低コストにてより効果的に阻止することが可能な防護フェンス、および、それを用いた海底生物の防護方法を提供することができる。
【発明を実施するための最良の形態】
【００１２】
図１ないし図３は、本発明の第一実施例を示す図であり、図１はその全体を示し、図２は図１のＡ−Ａ断面を一部省略するとともに拡大して示し、図３は図１のＸ部を拡大して示す。
【００１３】
本第一実施例の防護フェンス１は、海底において成育する海藻や貝類等の海底生物Ｓを保護するための保護領域Ｇ内に、海底を移動して該海底生物Ｓを捕食するウニやヒトデ等の海底棲息動物Ｕが侵入するのを防止するためのもので、図１に示すように、保護領域Ｇの周囲全体を包囲するように海底に設置されている。
なお、上記防護フェンス１は、保護領域Ｇ内において成育する保護対象としての種々の海底生物Ｓを、該海底生物Ｓを捕食する忌避対象としての種々の海底棲息動物Ｕから防護するのに有効であるが、特にワカメ・コンブ等の海藻を、該海藻を捕食するウニから防護するのに有効であるため、ここでは、海藻を上記保護対象である海底生物Ｓとし、ウニを上記忌避対象である海底棲息動物Ｕとした場合を例に挙げて詳細に説明することとする。
【００１４】
海藻防護フェンス１は、上記海藻保護領域Ｇの周囲全体を包囲して海底に立設されているフェンス本体２と、該フェンス本体２の上部に沿って設けられていて、ウニＵが該フェンス１を乗り越えて海藻保護領域Ｇ内に侵入するのを防止するための乗越え防止体３とを有していて、平面視において略矩形状に形成されている。
【００１５】
フェンス本体２は、周囲方向の長さが高さと比較して長尺に形成されていて、領域Ｇのぐるりを包囲して矩形状に立設されており、ウニＵの通過を阻止できる大きさの網目を有する第１の金網１１を、所定間隔に設けられた（本実施例では矩形の四隅に設けられた）複数の取付ポール１２間に張設することにより形成されている（図３参照）。そして、その下端部は、海底との隙間からウニＵが領域Ｇ内に侵入しないように、かつ海流により該海藻防護フェンス１が簡単に移動しないように、適宜の固定手段で海底に固定されている。
ここで、上記第１の金網１１は、互いに平行をなす多数の第１の線材１１ａと、互いに平行をなす多数の第２の線材１１ｂとを、相互に交差させて固定することにより格子状に形成されている。
【００１６】
乗越え防止体３は、フェンス本体２の上端部に沿って設けられ、該フェンス本体２と所定の角度αをなして、上記海藻保護領域Ｇの外方に向って傾斜して延びる庇状に形成されており、上記第１の金網１１の上端縁に沿って連結されていて、該第１の金網１１と同様の大きさの網目を有する第２の金網１３と、上記取付ポール１２の上端にそれぞれ連結されていて、該第２の金網１３を張設して支持する複数の骨組み体１４とからなっている（図３参照）。
ここで、上記第２の金網１３は、互いに平行をなして領域Ｇの外方に軸を向けて配置された多数の第３の線材１３ａと、互いに平行をなして該第３の線材１３ａと相互に交差させて固定された多数の第４の線材１３ｂとから格子状に形成されている。
【００１７】
ウニＵは、狭い隙間を好む性質を有していて、しかも、その体の構造上、狭い隙間を形成する二面間において、体を反転させて一方の面から他方の面へと乗り移ることができない。そのため、上記角度αは鋭角であることが望ましく、出願人によるムラサキウニを用いた実験結果によれば、上記傾斜角度αが特に約３０度のとき最も効率よくウニＵを忌避することができること、すなわち、フェンス本体２によじ登ったウニＵが、該フェンス本体２と乗越え防止体３とによって形成された楔形状の隙間１５へと入り込んでしまい、一匹も、該フェンス本体２から乗越え防止体３へと乗り移ることができず、海藻防護フェンス１を乗り越えることができないことを確認した。
【００１８】
この実験に用いた海藻防護フェンス１の主要寸法は、上記フェンス本体２の高さＬ１が約７００ｍｍ、上記乗越え防止体３の長さＬ２が約４１０ｍｍ、上記第１の金網１１を形成する各線材１１ａ，１１ｂのピッチＰ１、及び上記第２の金網１３を形成する各線材１３ａ，１３ｂのピッチＰ２がそれぞれ約１５ｍｍで、上記傾斜角度αが約３０度のとき、上記乗越え防止体３の先端とフェンス本体２との間の距離、即ち乗越え防止体３とフェンス本体２との間に形成された楔形状の隙間１５の開口幅Ｗが約２１０ｍｍ、該フェンス本体２の下端位置から乗越え防止体３の先端位置までの高さＨが約３４５ｍｍであった。
ただし、上記海藻防護フェンス１の各寸法は、上記実験における具体的な寸法に限定されるものではなく、上記実験のように、上記楔形状の隙間１５の開口幅Ｗや上記乗越え防止体３の先端位置の高さＨが、忌避対象となる種類のウニＵの吸盤が届かない数値範囲となるような、各種寸法を適宜採用することが可能である。
【００１９】
また、ウニＵは、その吸盤を利用して移動するが、その吸盤の力は弱く、垂直面など急角度の面によじ登った状態では、波の力や自重等により落下しやすいため、よじ登る面が垂直面よりも更に外方に傾斜していると、より落下しやすくなる。したがって、上記角度αが鈍角又は直角であって、たとえ、上記フェンス本体２によじ登ったウニＵが乗越え防止体３に乗り移ることができたとしても、該ウニＵが海藻防護フェンス１を乗り越えるのを効果的に防止することが可能である。
【００２０】
このように上記海藻防護フェンス１は、海藻保護領域Ｇの周囲全体を包囲して立設されるフェンス本体２と、該フェンス本体２の上端部に沿って設けられた庇状の乗越え防止体３とから構成されていて、比較的簡単な構造を有しているため、低コストにて設置することが可能であり、しかも、設置時や撤去時等における取り扱いも容易である。また、上記乗越え防止体３が、上記フェンス本体２と所定の角度αをなして外方に向って延びる庇状に形成されていて、該フェンス本体２によじ登った上記ウニＵの進路を阻むため、該ウニＵが海藻防護フェンス１を乗り越えて海藻保護領域Ｇ内に侵入し海藻Ｓを捕食するのを効果的に阻止することが可能である。
【００２１】
なお、本第一実施例においては、複数の取付ポール１１間に第１の金網１１を張設し、複数の骨組み体１４間に第２の金網１３を張設しているが、第１の金網１１及び第２の金網１３が充分な剛性を有しているのであれば、これら取付ポール１１及び骨組み体１４は必ずしも設ける必要性は無く、第１の金網１１自体をフェンス本体２とし、第２の金網１３自体を乗越え防止体３としても良い。また、第１の金網１１及び第２の金網１３を別体としたが、フェンス本体２の上端で外方へ屈曲された一体の金網で形成しても良い。さらに、上記第１の金網１１及び第２の金網１３は、互いに交差させて配置された各線材１１ａ，１１ｂ，１３ａ，１３ｂを、相互に固着することにより格子状に形成されているが、それに限定されるものではなく、織金網やエキスパンドメタル等の金属製の網であれば良い。
【００２２】
このような防護フェンス１は、例えば海藻Ｓの養殖に利用される。
そこで、この海藻Ｓの養殖を例にとってその作用を説明するとともに、上記海底棲息動物としてのウニＵから上記海底生物としての海藻Ｓを防護する方法を説明する。
上記海藻防護フェンス１は、海藻Ｓの成育に適した海域において、適宜広さに定められた海藻保護領域Ｇの周囲全体を包囲するように設置される。
その領域Ｇの内部には、表面に海藻Ｓの胞子が植えつけられた岩Ｒ、あるいは発芽した海藻Ｓの若苗が生育した岩Ｒが設置されている（図２においては、岩Ｒを省略）。
【００２３】
この状態で放置すると、海藻Ｓは自然に成長し、成熟した海藻Ｓとして繁茂する。
この成育の過程で上記領域Ｇ外から海藻Ｓの若芽を捕食するウニＵが、この生育中の海藻Ｓを捕食するためにフェンス本体２によじ登って領域Ｇ内に侵入しようとしても、乗越え防止体３により進路を阻まれ、フェンス１を乗り越えて領域Ｇ内に侵入することができない。
したがって、領域Ｇ内の海藻ＳをウニＵの食害から防護することができる。
【００２４】
つぎに、図４（ａ）及び図４（ｂ）に基づいて、本発明の第二実施例について説明する。
図４（ａ）は、第二実施例の防護フェンス１の乗越え防止体３Ａの一部分を示し、図４（ｂ）は、  図４（ａ）のＢ‐Ｂ断面を示す。
第二実施例は、第一実施例と比較して乗越え防止体の構造が異なるのみである。
したがって、ここでは、説明の重複を避けるため、異なる乗越え防止体３Ａについてのみ説明することとし、その他の第一実施例と同じ構造部分については、同一符号を付すことにより、その具体的構成や作用効果や使用方法等に関する説明を省略する。
【００２５】
乗越え防止体３Ａにおいては、第３の線材１３ａがフェンス本体２の上端縁と略直角をなして保護領域Ｇの外方に向けて配置され、第４の線材１３ｂがフェンス本体２の上端縁と略平行をなして配置されている。そして、該乗越え防止体３Ａの先端において、上記第３の線材１３ａの先端部が突出部１３ｃとして、保護領域Ｇの外方に向かって突出している。
この突出部１３ｃは、ウニＵが海藻防護フェンス１を乗り越えるのを一層困難にする。なお、該先端部１３ｃの突出長さは、約３０ｍｍ程度が適切である。
【００２６】
つぎに、図５（ａ）及び図５（ｂ）に基づいて、本発明の第三実施例について説明する。
図５（ａ）は、第三実施例の防護フェンス１の乗越え防止体３Ｂの一部分を示し、図５（ｂ）は、図５（ａ）のＣ‐Ｃ断面を示す。
第三実施例は、第一実施例と比較して乗越え防止体の構造が異なるのみである。
したがって、ここでは、説明の重複を避けるため、異なる乗越え防止体３Ｂについてのみ説明することとし、その他の第一実施例と同じ構造部分については、同一符号を付すことにより、その具体的構成や作用効果や使用方法等に関する説明を省略する。
【００２７】
乗越え防止体３Ｂは、金属板の一方の面側に向けて多数の小突片１７ｄを切り起こして突出させることにより、多数の角長孔１７ｃが穿設されてなる多孔板から形成されている。
そして、該乗越え防止体３Ｂは、庇状部分を形成し上記角長孔１７ｃが穿設された多孔部１７ａと、フェンス本体２に固定される平板状の平板部１７ｂとからなっており、多孔部１７ａと平板部１７ｂとの間で屈曲させフェンス本体２の上端部を覆って取り付けられている。
【００２８】
多孔部１７ａには、図５（ａ）に示すように、横方向に長い矩形状の角長孔１７ｃが、乗越え防止体３Ｂの長手方向に等間隔に複数設けられていると共に、傾斜方向に複数段設けられている。また、各段の角長孔１７ｃは、次段に対して孔の横方向長さの半分だけずらした千鳥状に配列されている。そして、角長孔１７ｃの裏面には、図５（ｂ）に示すように、小突片１７ｄが、角長孔１７ｃの横方向の一辺から乗り越え防止体３Ｂの下面側に向けて、略直角に切り起こされている。
【００２９】
なお、上記角長孔１７ｃの傾斜方向におけるピッチは約２０ｍｍ、該各長孔１７ｃにおける傾斜に沿った縦方向の長さ、すなわち切り起こされた小突片１７ｄの高さは約１５ｍｍ程度が適切である。そして、フェンス本体２も、該乗越え防止体３Ｂと同様の多孔板によって形成しても良い。また、上記小突片１７ｄは、金属板の一方及び他方の面側に向けて切り起こして突出させたものを混在させても良い。さらに、上記多孔板としては、本第三実施例のような、金属板に多数の小突片１７ｄを切り起こして多数の孔１７ｃを穿設したものに限らず、例えばパンチングメタル等、金属板等の平板を打ち抜いて各種形状の孔を多数穿設したものであっても良い。
【００３０】
つぎに、図６に基づいて、本発明の第四実施例について説明する。
図６は、第四実施例の防護フェンス１において図２と同様な部位の断面をとり、その一部を省略するとともに拡大して示したものである。
ただし、ここでは、説明の重複を避けるため、上記第一実施例と同じ構造部分については、同一符号を付すことにより、その具体的構成や作用効果や使用方法等に関する説明を省略する。
【００３１】
第四実施例の防護フェンス１Ａは、その下部に、海底に設置された複数の土台２１と、これら各土台２１にそれぞれ固定された柱状の支持体２２と、これら支持体２２の上端部に設けられて支持された床部２３とで構成された海底設置体２０を備えている。
そして、上記床部２３上に、上記フェンス本体２が立設されると共に上記保護領域Ｇが形成され、表面に海藻Ｓの胞子が植えつけられた岩Ｒ、あるいは発芽した海藻Ｓの若苗が生育した岩Ｒを載置するようになっている（図６においては、岩Ｒを省略）。
【００３２】
本第四実施例の海藻防護フェンス１Ａでは、海藻保護領域Ｇを形成する床部２３が、海底から離間させて設置されているため、ウニＵが領域Ｇ内に侵入するのを一層効果的に阻止することが可能である。
なお、本第四実施例においても、上記第二，第三実施例の乗越え防止体３Ａ，３Ｂ等を採用することが可能であることは言うまでもない。
【００３３】
本発明は上述の実施例に限らず、特許請求の範囲を逸脱しない範囲において、種々の構成を取ることができる。
例えば、上記フェンス本体及び乗越え防止体としては、上記の各実施例に記載した金網や多孔板に限らず、金属板等の平板や、フレームに柔軟なワイヤーや網（例えば漁網）等を張設したもの等、忌避対象の海底棲息動物が通り抜けることが出来ないものであれば、種々の形態のものを適宜採用することが可能であり、フェンス本体と乗越え防止体とで異なるものを採用しても良い。なお、上記フェンス本体や乗越え防止体が、金網、金属製の多孔板または金属製の平板より形成されていると、たとえ将来的に防護フェンス１が破損したとしても、浮遊物が発生して船舶の通行の妨げとなったり海を汚染したりする虞が無い。
【００３４】
また、上記第二実施例の突出部１３ｃは、乗越え防止体が多孔板等、金網以外のもので形成されている場合であっても、その先端に設けることが可能であることは言うまでもない。
さらに、防護フェンス１の各種寸法形状についても、保護対象としての海底生物Ｓや、忌避対象としての海底棲息動物Ｕや、海底の設置条件等に応じて適宜選択することが可能である。
【図面の簡単な説明】
【００３５】
【図１】本発明の第一実施例に係る海藻防護フェンスの全体を示す斜視図。
【図２】図１のＡ−Ａ断面を一部省略するとともに拡大して示す拡大断面図。
【図３】図１のＸ部を拡大して示す部分拡大図。
【図４】（ａ）は、本発明の第二実施例に係る海藻防護フェンスの乗越え防止体の一部を示す部分正面図、（ｂ）は、（ａ）のＢ‐Ｂ断面を示す部分断面図。
【図５】（ａ）は、本発明の第三実施例に係る海藻防護フェンスの乗越え防止体の一部を示す部分正面図、（ｂ）は、（ａ）のＣ‐Ｃ断面を示す部分断面図。
【図６】本発明の第四実施例に係る海藻防護フェンスにおける図２と同様の拡大断面図。
【符号の説明】
【００３６】
１，１Ａ            海藻防護フェンス（防護フェンス）
２                  フェンス本体      
３，３Ａ，３Ｂ      乗越え防止体
１１                第１の金網
１１ａ              第１の線材
１１ｂ              第２の線材
１３                第２の金網
１３ａ              第３の線材
１３ｂ              第４の線材
１３ｃ              突出部
１７ｄ              小突片
２０                海底設置体
２１                土台
２２                支持体
２３                床部
Ｇ                  海藻保護領域（保護領域）
Ｓ                  海藻（海底生物）
Ｕ                  ウニ（海底棲息動物）
【図１】
2007014305.tif 000003
【図２】
2007014305.tif 000004
【図３】
2007014305.tif 000005
【図４】
2007014305.tif 000006
【図５】
2007014305.tif 000007
【図６】
2007014305.tif 000008
【手続補正書】
【提出日】平成17年11月28日(2005.11.28)
【手続補正１】
【補正対象書類名】特許請求の範囲
【補正対象項目名】全文
【補正方法】変更
【補正の内容】
【特許請求の範囲】
【請求項１】
海底において成育する海底生物を保護するための保護領域内に、海底を移動して該海底生物を捕食するウニが侵入するのを阻止するための防護フェンスであって、
上記保護領域の周囲全体を包囲して立設されるフェンス本体と、該フェンス本体の上部に沿って設けられ、上記ウニが該防護フェンスを乗り越えるのを防止するための乗越え防止体とを有し、
該乗越え防止体が、フェンス本体と約３０°の角度をなして上記保護領域の外方に向って延びる庇状に形成され、該乗越え防止体とフェンス本体とによって形成された楔形状の隙間の開口幅Ｗ及び該乗越え防止体の先端位置の高さＨが、フェンス本体をよじ登りまたは海底を移動するウニの吸盤が届かない大きさを有している、
ことを特徴とする防護フェンス。
【請求項２】
上記乗越え防止体が、その先端に、上記保護領域の外方に向けて突出する複数の突出部を備えている、
ことを特徴とする請求項１に記載の防護フェンス。
【請求項３】
上記乗越え防止体が、金網、金属製の多孔板、金属製の平板の何れかにより形成されている、
ことを特徴とする請求項１または２に記載の防護フェンス。
【請求項４】
海底に設置される複数の土台と、これら土台上にそれぞれ固定される支持体と、これら支持体上に設けられる床部とで構成された海底設置体を備え、
上記床部上に、上記保護領域が形成されると共に上記フェンス本体が立設されている、
ことを特徴とする請求項１〜３のいずれかに記載の防護フェンス。
【請求項５】
海底において成育する海底生物を保護するための保護領域の周囲全体を、上記請求項１〜４の何れかに記載の防護フェンスで包囲することにより、海底を移動して上記海底生物を捕食するウニが該保護領域内に侵入するのを阻止して、該保護領域内の海底生物を上記ウニから防護する、
ことを特徴とする海底生物の防護方法。
【手続補正２】
【補正対象書類名】明細書
【補正対象項目名】０００５
【補正方法】変更
【補正の内容】
【０００５】
このような技術的課題を解決するため、本発明に係る防護フェンスは、海底において成育する海底生物を保護するための保護領域内に、海底を移動して該海底生物を捕食するウニが侵入するのを阻止するための防護フェンスであって、上記保護領域の周囲全体を包囲して立設されるフェンス本体と、該フェンス本体の上部に沿って設けられ、上記ウニが該防護フェンスを乗り越えるのを防止するための乗越え防止体とを有し、該乗越え防止体が、フェンス本体と約３０°の角度をなして上記保護領域の外方に向って延びる庇状に形成され、該乗越え防止体とフェンス本体とによって形成された楔形状の隙間の開口幅Ｗ及び該乗越え防止体の先端位置の高さＨが、フェンス本体をよじ登るウニの吸盤が届かない大きさを有していることを特徴としている。
【手続補正３】
【補正対象書類名】明細書
【補正対象項目名】０００６
【補正方法】変更
【補正の内容】
【０００６】
このように本発明に係る防護フェンスは、保護領域の周囲全体を包囲して立設されるフェンス本体と、該フェンス本体の上部に沿って設けられた庇状の乗越え防止体とから構成されていて、比較的簡単な構造を有しているため、低コストにて設置することが可能であり、しかも、設置時や撤去時等における取り扱いも容易である。また、上記乗越え防止体が、上記フェンス本体と約３０°の角度をなして外方に向って延びる庇状に形成されていて、該フェンス本体によじ登った上記ウニの進路を阻むため、該ウニが防護フェンスを乗り越えて上記保護領域内に侵入し保護対象としての海底生物を捕食するのを効果的に阻止することが可能である。
【手続補正４】
【補正対象書類名】明細書
【補正対象項目名】００１０
【補正方法】変更
【補正の内容】
【００１０】
上記技術的課題を解決するため本発明に係る海底生物の防護方法は、海底において成育する海底生物を保護するための保護領域の周囲全体を、上記請求項１〜４の何れかに記載の防護フェンスで包囲することにより、海底を移動して上記海底生物を捕食するウニが該保護領域内に侵入するのを阻止して、該保護領域内の海底生物を上記ウニから防護することを特徴としている。